(57)【要約】      （修正有）【課題】一旦、ＩＣカードを取り出しても、正しいＩＣカードの挿入を容易にする自動料金収受車載装置および自動料金収受車載装置用のコンピュータ読み取り可能なプログラムを提供する。【解決手段】料金所の入口で挿入されていたＩＣカードの判別情報と、入口と出口の間で再挿入されたＩＣカードの判別情報とを比較して、両情報が一致するか否かを判別し、両情報が不一致の場合に、入口で挿入されていたＩＣカードの識別情報に基づいてＩＣカードの誤挿入を知らせる自動料金収受車載装置とする。【選択図】  図１
2006251858.tif 000002
【特許請求の範囲】
【請求項１】
料金徴収用のＩＣカードの挿入を検知するＩＣカード検知手段と、
その挿入されたＩＣカードを判別するための判別情報を取得する判別情報取得手段と、
取得した判別情報が既に登録されているか否かを判別する判別情報登録有無判別手段と、
取得した判別情報が未登録の場合に、その判別情報を登録する判別情報登録手段と、
ＩＣカードを識別するために利用者が任意に決める識別情報の登録有無を判別する第１識別情報登録有無判別手段と、
そのＩＣカードの識別情報が未登録の場合に、登録を促す出力を行う登録催促出力手段と、
識別情報の入力を受け付ける識別情報受付手段と、
料金所の入口および出口の通過時に各通過を区別して認識する通過認識手段と、
料金所の入口通過後から料金所の出口通過前におけるＩＣカードの再挿入を検知する再挿入検知手段と、
入口で挿入されていたＩＣカードの判別情報と、入口と出口の間で再挿入されたＩＣカードの判別情報とを比較して、両情報が一致するか否かを判別する情報一致判別手段と、
上記両情報が不一致の場合に、入口で挿入されていたＩＣカードの識別情報の登録有無を判別する第２識別情報登録有無判別手段と、
識別情報が登録されている場合に、その識別情報に基づいてＩＣカードの誤挿入を知らせる情報を出力する誤挿入情報出力手段と、
を備えることを特徴とする自動料金収受車載装置。
【請求項２】
前記誤挿入情報出力手段は、前記識別情報の登録がない場合に、前記識別情報を使用せずにＩＣカードの誤挿入を知らせる情報を出力することを特徴とする請求項１に記載の自動料金収受車載装置。
【請求項３】
料金徴収用のＩＣカードの挿入を検知するＩＣカード検知手段と、
その挿入されたＩＣカードを判別するための判別情報を取得する判別情報取得手段と、
取得した判別情報が既に登録されているか否かを判別する判別情報登録有無判別手段と、
取得した判別情報が未登録の場合に、その判別情報を登録する判別情報登録手段と、
ＩＣカードを識別するために利用者が任意に決める識別情報の登録有無を判別する第１識別情報登録有無判別手段と、
そのＩＣカードの識別情報が未登録の場合に、登録を促す出力を行う登録催促出力手段と、
識別情報の入力を受け付ける識別情報受付手段と、
料金所の入口および出口の通過時に各通過を区別して認識する通過認識手段と、
料金所の入口通過後から料金所の出口通過前において、電源を入れた際に、入口で挿入されていたＩＣカードの識別情報を読み出す識別情報読み出し手段と、
入口で挿入されていたＩＣカードの識別情報が登録されている場合に、その読み出した識別情報に基づいてＩＣカードの挿入を促す出力を行うカード挿入催促出力手段と、
を備えることを特徴とする自動料金収受車載装置。
【請求項４】
前記カード挿入催促出力手段は、入口で挿入されていたＩＣカードの識別情報が登録されていない場合に、その識別情報が未登録である旨の情報を出力することを特徴とする請求項３に記載の自動料金収受車載装置。
【請求項５】
料金徴収用のＩＣカードの挿入を検知するＩＣカード検知手段と、
その挿入されたＩＣカードを判別するための判別情報を取得する判別情報取得手段と、
取得した判別情報が既に登録されているか否かを判別する判別情報登録有無判別手段と、
取得した判別情報が未登録の場合に、その判別情報を登録する判別情報登録手段と、
ＩＣカードを識別するために利用者が任意に決める識別情報の登録有無を判別する第１識別情報登録有無判別手段と、
そのＩＣカードの識別情報が未登録の場合に、登録を促す出力を行う登録催促出力手段と、
識別情報の入力を受け付ける識別情報受付手段と、
料金所の入口および出口の通過時に各通過を区別して認識する通過認識手段と、
料金所の入口通過後から料金所の出口通過前において、電源を入れた際に、ＩＣカードの有無を判別するＩＣカード有無判別手段と、
上記ＩＣカード有無判別手段による判別の結果、ＩＣカードが無い場合に、入口で挿入されていたＩＣカードの識別情報を読み出す第２識別情報読み出し手段と、
入口で挿入されていたＩＣカードの識別情報が登録されている場合に、その読み出した識別情報に基づいてＩＣカードの挿入を促す出力を行うカード挿入催促出力手段と、
上記ＩＣカード有無判別手段による判別の結果、ＩＣカードがある場合に、入口で挿入されていたＩＣカードの判別情報と、入口と出口の間で再挿入されたＩＣカードの判別情報とを比較して、両情報が一致するか否かを判別する情報一致判別手段と、
上記両情報が不一致の場合に、入口で挿入されていたＩＣカードの識別情報の登録有無を判別する第２識別情報登録有無判別手段と、
識別情報が登録されている場合に、その識別情報に基づいてＩＣカードの誤挿入を知らせる情報を出力する誤挿入情報出力手段と、
を備えることを特徴とする自動料金収受車載装置。
【請求項６】
前記誤挿入情報出力手段は、前記識別情報の登録がない場合に、前記識別情報を使用せずにＩＣカードの誤挿入を知らせる情報を出力することを特徴とする請求項５に記載の自動料金収受車載装置。
【請求項７】
コンピュータに読み込み可能なプログラムであって、
コンピュータに、
料金徴収用のＩＣカードの挿入を検知するＩＣカード検知手段と、
その挿入されたＩＣカードを判別するための判別情報を取得する判別情報取得手段と、
取得した判別情報が既に登録されているか否かを判別する判別情報登録有無判別手段と、
取得した判別情報が未登録の場合に、その判別情報を登録する判別情報登録手段と、
ＩＣカードを識別するために利用者が任意に決める識別情報の登録有無を判別する第１識別情報登録有無判別手段と、
そのＩＣカードの識別情報が未登録の場合に、登録を促す出力を行う登録催促出力手段と、
識別情報の入力を受け付ける識別情報受付手段と、
料金所の入口および出口の通過時に各通過を区別して認識する通過認識手段と、
料金所の入口通過後から料金所の出口通過前におけるＩＣカードの再挿入を検知する再挿入検知手段と、
入口で挿入されていたＩＣカードの判別情報と、入口と出口の間で再挿入されたＩＣカードの判別情報とを比較して、両情報が一致するか否かを判別する情報一致判別手段と、
上記両情報が不一致の場合に、入口で挿入されていたＩＣカードの識別情報の登録有無を判別する第２識別情報登録有無判別手段と、
識別情報が登録されている場合に、その識別情報を用いてＩＣカードの誤挿入を知らせる情報を出力する誤挿入情報出力手段として機能させることを特徴とする自動料金収受車載装置用のコンピュータ読み取り可能なプログラム。
【請求項８】
コンピュータに読み込み可能なプログラムであって、
コンピュータに、
料金徴収用のＩＣカードの挿入を検知するＩＣカード検知手段と、
その挿入されたＩＣカードを判別するための判別情報を取得する判別情報取得手段と、
取得した判別情報が既に登録されているか否かを判別する判別情報登録有無判別手段と、
取得した判別情報が未登録の場合に、その判別情報を登録する判別情報登録手段と、
ＩＣカードを識別するために利用者が任意に決める識別情報の登録有無を判別する第１識別情報登録有無判別手段と、
そのＩＣカードの識別情報が未登録の場合に、登録を促す出力を行う登録催促出力手段と、
識別情報の入力を受け付ける識別情報受付手段と、
料金所の入口および出口の通過時に各通過を区別して認識する通過認識手段と、
料金所の入口通過後から料金所の出口通過前において、電源を入れた際に、入口で挿入されていたＩＣカードの識別情報を読み出す識別情報読み出し手段と、
入口で挿入されていたＩＣカードの識別情報が登録されている場合に、その読み出した識別情報に基づいてＩＣカードの挿入を促す出力を行うカード挿入催促出力手段として機能させることを特徴とする自動料金収受車載装置用のコンピュータ読み取り可能なプログラム。
【請求項９】
コンピュータに読み込み可能なプログラムであって、
コンピュータに、
料金徴収用のＩＣカードの挿入を検知するＩＣカード検知手段と、
その挿入されたＩＣカードを判別するための判別情報を取得する判別情報取得手段と、
取得した判別情報が既に登録されているか否かを判別する判別情報登録有無判別手段と、
取得した判別情報が未登録の場合に、その判別情報を登録する判別情報登録手段と、
ＩＣカードを識別するために利用者が任意に決める識別情報の登録有無を判別する第１識別情報登録有無判別手段と、
そのＩＣカードの識別情報が未登録の場合に、登録を促す出力を行う登録催促出力手段と、
識別情報の入力を受け付ける識別情報受付手段と、
料金所の入口および出口の通過時に各通過を区別して認識する通過認識手段と、
料金所の入口通過後から料金所の出口通過前において、電源を入れた際に、ＩＣカードの有無を判別するＩＣカード有無判別手段と、
上記ＩＣカード有無判別手段による判別の結果、ＩＣカードが無い場合に、入口で挿入されていたＩＣカードの識別情報を読み出す第２識別情報読み出し手段と、
入口で挿入されていたＩＣカードの識別情報が登録されている場合に、その読み出した識別情報に基づいてＩＣカードの挿入を促す出力を行うカード挿入催促出力手段と、
上記ＩＣカード有無判別手段による判別の結果、ＩＣカードがある場合に、入口で挿入されていたＩＣカードの判別情報と、入口と出口の間で再挿入されたＩＣカードの判別情報とを比較して、両情報が一致するか否かを判別する情報一致判別手段と、
上記両情報が不一致の場合に、入口で挿入されていたＩＣカードの識別情報の登録有無を判別する第２識別情報登録有無判別手段と、
識別情報が登録されている場合に、その識別情報に基づいてＩＣカードの誤挿入を知らせる情報を出力する誤挿入情報出力手段として機能させることを特徴とする自動料金収受車載装置用のコンピュータ読み取り可能なプログラム。
【発明の詳細な説明】
【技術分野】
【０００１】
本発明は、高速道路の料金所等において無線通信にて料金の自動徴収を行うために自動車に搭載される自動料金収受車載装置および自動料金収受車載装置用のコンピュータ読み取り可能なプログラムに関する。
【背景技術】
【０００２】
近年、高速道路等の有料道路の混雑解消策として、料金所における自動料金収受システムが活用されている。当該システムを利用するには、自動車に、専用の機器（Electronic Toll Collection System: ＥＴＣ車載装置）を搭載し、該装置に料金徴収用のＩＣカードを挿入する必要がある。料金所の入口ゲートを通過して出口ゲートまで停車しない場合には、ＩＣカードをＥＴＣ車載装置から取り出す必要性は低いが、サービスエリア等で休憩あるいは食事をするために停車するような場合には、ＩＣカードを盗まれないように、ＥＴＣ車載装置から取り出す必要性がある。
【０００３】
また、バスあるいは地下鉄のプリペイドカードと同様、運転者が料金徴収用のＩＣカードを複数携帯することが多い。このため、一旦、ＥＴＣ車載装置からＩＣカードを取り出すと、料金所の出口ゲートの近くになって、どのＩＣカードを使用していたかわからなくなることがある。その際間違って別のＩＣカードを挿入すると、適切な料金収受ができず、料金所で渋滞を起こす可能性がある。
【０００４】
このような事態を解消すべく、料金所入口を通過して、一旦、ＥＴＣ車載装置の電源をオフにしてＩＣカードを取り出した後、料金所出口までにＩＣカードの誤挿入を防止するための技術として、ＩＣカードの誤挿入を警告する技術が知られている（例えば、特許文献１参照。）。
【０００５】
この技術は、ＥＴＣ車載装置において、挿入されたＩＣカードの判別情報を記録しておき、ＩＣカードが再度挿入された場合に、記録されている料金所入口通過の情報および判別情報とをチェックして、再度挿入されたＩＣカードの判別情報を基に、別のＩＣカードが挿入された場合には、利用者に誤挿入の旨を警告するというものである。
【特許文献１】特開２００４−１０２５８２号公報（要約書等）
【発明の開示】
【発明が解決しようとする課題】
【０００６】
しかし、上述の従来技術には、次のような問題がある。料金所の入口と出口との間で再度挿入されたＩＣカードが、入口通過時に挿入されていたＩＣカードと異なる場合、利用者に対して、ＩＣカードが違う旨の警告しか行われない。このため、正しいＩＣカードの特定はできず、多くのＩＣカードを携帯している場合には、各ＩＣカードを一枚一枚挿入して、警告が出力されなくなるまで試行しなければならない。
【０００７】
料金所の出口で多くのＩＣカードを挿入する場合、利用者はパニックになりがちで、折角、渋滞解消のために自動料金収受システムを採用しても、出口で手間取り、渋滞を誘発したり、あるいは最悪の場合、事故を起こす危険性もある。
【０００８】
本発明は、以上のような問題に鑑みてなされたものであり、一旦、ＩＣカードを取り出しても、正しいＩＣカードの挿入を容易にする自動料金収受車載装置および自動料金収受車載装置用のコンピュータ読み取り可能なプログラムを提供することを目的とする。
【課題を解決するための手段】
【０００９】
上記目的を達成するために、本発明は、料金徴収用のＩＣカードの挿入を検知するＩＣカード検知手段と、その挿入されたＩＣカードを判別するための判別情報を取得する判別情報取得手段と、取得した判別情報が既に登録されているか否かを判別する判別情報登録有無判別手段と、取得した判別情報が未登録の場合に、その判別情報を登録する判別情報登録手段と、ＩＣカードを識別するために利用者が任意に決める識別情報の登録有無を判別する第１識別情報登録有無判別手段と、そのＩＣカードの識別情報が未登録の場合に、登録を促す出力を行う登録催促出力手段と、識別情報の入力を受け付ける識別情報受付手段と、料金所の入口および出口の通過時に各通過を区別して認識する通過認識手段と、料金所の入口通過後から料金所の出口通過前におけるＩＣカードの再挿入を検知する再挿入検知手段と、入口で挿入されていたＩＣカードの判別情報と、入口と出口の間で再挿入されたＩＣカードの判別情報とを比較して、両情報が一致するか否かを判別する情報一致判別手段と、両情報が不一致の場合に、入口で挿入されていたＩＣカードの識別情報の登録有無を判別する第２識別情報登録有無判別手段と、カード識別情報が登録されている場合に、その識別情報に基づいてＩＣカードの誤挿入を知らせる情報を出力する誤挿入情報出力手段と備えた自動料金収受車載装置とするようにしている。
【００１０】
また、別の本発明は、先の発明に加えて、誤挿入情報出力手段が、識別情報の登録がない場合に、識別情報を使用せずにＩＣカードの誤挿入を知らせる情報を出力する自動料金収受車載装置としている。
【００１１】
また、別の本発明は、料金徴収用のＩＣカードの挿入を検知するＩＣカード検知手段と、その挿入されたＩＣカードを判別するための判別情報を取得する判別情報取得手段と、取得した判別情報が既に登録されているか否かを判別する判別情報登録有無判別手段と、取得した判別情報が未登録の場合に、その判別情報を登録する判別情報登録手段と、ＩＣカードを識別するために利用者が任意に決める識別情報の登録有無を判別する第１識別情報登録有無判別手段と、そのＩＣカードの識別情報が未登録の場合に、登録を促す出力を行う登録催促出力手段と、識別情報の入力を受け付ける識別情報受付手段と、料金所の入口および出口の通過時に各通過を区別して認識する通過認識手段と、料金所の入口通過後から料金所の出口通過前において、電源を入れた際に、入口で挿入されていたＩＣカードの識別情報を読み出す識別情報読み出し手段と、入口で挿入されていたＩＣカードの識別情報が登録されている場合に、その読み出した識別情報に基づいてＩＣカードの挿入を促す出力を行うカード挿入催促出力手段とを備えた自動料金収受車載装置としている。
【００１２】
また、別の本発明は、先の発明に加えて、カード挿入催促出力手段が、入口で挿入されていたＩＣカードの識別情報が登録されていない場合に、その識別情報が未登録である旨の情報を出力する自動料金収受車載装置としている。
【００１３】
また、別の本発明は、料金徴収用のＩＣカードの挿入を検知するＩＣカード検知手段と、その挿入されたＩＣカードを判別するための判別情報を取得する判別情報取得手段と、取得した判別情報が既に登録されているか否かを判別する判別情報登録有無判別手段と、取得した判別情報が未登録の場合に、その判別情報を登録する判別情報登録手段と、ＩＣカードを識別するために利用者が任意に決める識別情報の登録有無を判別する第１識別情報登録有無判別手段と、そのＩＣカードの識別情報が未登録の場合に、登録を促す出力を行う登録催促出力手段と、識別情報の入力を受け付ける識別情報受付手段と、料金所の入口および出口の通過時に各通過を区別して認識する通過認識手段と、料金所の入口通過後から料金所の出口通過前において、電源を入れた際に、ＩＣカードの有無を判別するＩＣカード有無判別手段と、ＩＣカード有無判別手段による判別の結果、ＩＣカードが無い場合に、入口で挿入されていたＩＣカードの識別情報を読み出す第２識別情報読み出し手段と、入口で挿入されていたＩＣカードの識別情報が登録されている場合に、その読み出した識別情報に基づいてＩＣカードの挿入を促す出力を行うカード挿入催促出力手段と、ＩＣカード有無判別手段による判別の結果、ＩＣカードがある場合に、入口で挿入されていたＩＣカードの判別情報と、入口と出口の間で再挿入されたＩＣカードの判別情報とを比較して、両情報が一致するか否かを判別する情報一致判別手段と、両情報が不一致の場合に、入口で挿入されていたＩＣカードの識別情報の登録有無を判別する第２識別情報登録有無判別手段と、識別情報が登録されている場合に、その識別情報に基づいてＩＣカードの誤挿入を知らせる情報を出力する誤挿入情報出力手段とを備える自動料金収受車載装置としている。
【００１４】
また、別の本発明は、先の発明に加えて、誤挿入情報出力手段が、識別情報の登録がない場合に、識別情報を使用せずにＩＣカードの誤挿入を知らせる情報を出力する自動料金収受車載装置としている。
【００１５】
また、別の本発明は、コンピュータに読み込み可能なプログラムであって、コンピュータに、料金徴収用のＩＣカードの挿入を検知するＩＣカード検知手段と、その挿入されたＩＣカードを判別するための判別情報を取得する判別情報取得手段と、取得した判別情報が既に登録されているか否かを判別する判別情報登録有無判別手段と、取得した判別情報が未登録の場合に、その判別情報を登録する判別情報登録手段と、ＩＣカードを識別するために利用者が任意に決める識別情報の登録有無を判別する第１識別情報登録有無判別手段と、そのＩＣカードの識別情報が未登録の場合に、登録を促す出力を行う登録催促出力手段と、識別情報の入力を受け付ける識別情報受付手段と、料金所の入口および出口の通過時に各通過を区別して認識する通過認識手段と、料金所の入口通過後から料金所の出口通過前におけるＩＣカードの再挿入を検知する再挿入検知手段と、入口で挿入されていたＩＣカードの判別情報と、入口と出口の間で再挿入されたＩＣカードの判別情報とを比較して、両情報が一致するか否かを判別する情報一致判別手段と、両情報が不一致の場合に、入口で挿入されていたＩＣカードの識別情報の登録有無を判別する第２識別情報登録有無判別手段と、識別情報が登録されている場合に、その識別情報を用いてＩＣカードの誤挿入を知らせる情報を出力する誤挿入情報出力手段として機能させる自動料金収受車載装置用のコンピュータ読み取り可能なプログラムとしている。
【００１６】
また、別の本発明は、コンピュータに読み込み可能なプログラムであって、コンピュータに、料金徴収用のＩＣカードの挿入を検知するＩＣカード検知手段と、その挿入されたＩＣカードを判別するための判別情報を取得する判別情報取得手段と、取得した判別情報が既に登録されているか否かを判別する判別情報登録有無判別手段と、取得した判別情報が未登録の場合に、その判別情報を登録する判別情報登録手段と、ＩＣカードを識別するために利用者が任意に決める識別情報の登録有無を判別する第１識別情報登録有無判別手段と、そのＩＣカードの識別情報が未登録の場合に、登録を促す出力を行う登録催促出力手段と、識別情報の入力を受け付ける識別情報受付手段と、料金所の入口および出口の通過時に各通過を区別して認識する通過認識手段と、料金所の入口通過後から料金所の出口通過前において、電源を入れた際に、入口で挿入されていたＩＣカードの識別情報を読み出す識別情報読み出し手段と、入口で挿入されていたＩＣカードの識別情報が登録されている場合に、その読み出した識別情報に基づいてＩＣカードの挿入を促す出力を行うカード挿入催促出力手段として機能させる自動料金収受車載装置用のコンピュータ読み取り可能なプログラムとしている。
【００１７】
また、別の本発明は、コンピュータに読み込み可能なプログラムであって、コンピュータに、料金徴収用のＩＣカードの挿入を検知するＩＣカード検知手段と、その挿入されたＩＣカードを判別するための判別情報を取得する判別情報取得手段と、取得した判別情報が既に登録されているか否かを判別する判別情報登録有無判別手段と、取得した判別情報が未登録の場合に、その判別情報を登録する判別情報登録手段と、ＩＣカードを識別するために利用者が任意に決める識別情報の登録有無を判別する第１識別情報登録有無判別手段と、そのＩＣカードの識別情報が未登録の場合に、登録を促す出力を行う登録催促出力手段と、識別情報の入力を受け付ける識別情報受付手段と、料金所の入口および出口の通過時に各通過を区別して認識する通過認識手段と、料金所の入口通過後から料金所の出口通過前において、電源を入れた際に、ＩＣカードの有無を判別するＩＣカード有無判別手段と、ＩＣカード有無判別手段による判別の結果、ＩＣカードが無い場合に、入口で挿入されていたＩＣカードの識別情報を読み出す第２識別情報読み出し手段と、入口で挿入されていたＩＣカードの識別情報が登録されている場合に、その読み出した識別情報に基づいてＩＣカードの挿入を促す出力を行うカード挿入催促出力手段と、ＩＣカード有無判別手段による判別の結果、ＩＣカードがある場合に、入口で挿入されていたＩＣカードの判別情報と、入口と出口の間で再挿入されたＩＣカードの判別情報とを比較して、両情報が一致するか否かを判別する情報一致判別手段と、両情報が不一致の場合に、入口で挿入されていたＩＣカードの識別情報の登録有無を判別する第２識別情報登録有無判別手段と、識別情報が登録されている場合に、その識別情報に基づいてＩＣカードの誤挿入を知らせる情報を出力する誤挿入情報出力手段として機能させる自動料金収受車載装置用のコンピュータ読み取り可能なプログラムとしている。
【発明の効果】
【００１８】
本発明によれば、料金所入口を通過した後、装置からＩＣカードを一旦取り出しても、正しいＩＣカードの挿入を容易に行うことができる。
【発明を実施するための最良の形態】
【００１９】
以下、本発明に係る自動料金収受車載装置および自動料金収受車載装置用のコンピュータ読み取り可能なプログラムの各実施の形態について、図面を参照しながら説明する。
【００２０】
（第１の実施の形態）
図１は、本発明の第１の実施の形態にかかる自動料金収受車載装置の内部構成を示すブロック図である。
【００２１】
自動料金収受車載装置１は、主に、アンテナ１０と、無線部１１と、ＩＣカード装着部１２と、記憶部１３と、不揮発メモリ１４と、制御部１５と、操作部１６と、スピーカ１７と、表示部１８と、インターフェイス部１９とから構成されている。
【００２２】
アンテナ１０は、電波を送受信する部分である。無線部１１は、制御部１５のコントロール下にあって、料金所ゲートの路側アンテナとの間で双方向無線通信を行う部分である。ＩＣカード装着部１２は、ＥＴＣに対応した料金を決済するためのＩＣカードを装着する部分である。ＩＣカード装着部１２は、ＩＣカードの挿入を検知するＩＣカード検知手段と、料金所の入口通過後から料金所の出口通過前におけるＩＣカードの再挿入を検知する再挿入検知手段となる。
【００２３】
記憶部１３は、ＲＯＭ（Read Only Memory）、ＲＡＭ（Random Access Memory）あるいはフラッシュメモリなどで構成されている。記憶部１３には、後述の制御部１５の制御プログラム等が記憶されている。本発明に係る自動料金収受車載装置用のコンピュータ読み取り可能なプログラムの第１の実施の形態は、記憶部１３に記憶されている。具体的には、記憶部１３に、コンピュータ（ここでは、自動料金収受車載装置１）に読み込み可能なプログラムであって、コンピュータに、料金徴収用のＩＣカードの挿入を検知するＩＣカード検知手段と、その挿入されたＩＣカードを判別するための判別情報を取得する判別情報取得手段と、取得した判別情報が既に登録されているか否かを判別する判別情報登録有無判別手段と、取得した判別情報が未登録の場合に、その判別情報を登録する判別情報登録手段と、ＩＣカードを識別するために利用者が任意に決める識別情報の登録有無を判別する第１識別情報登録有無判別手段と、そのＩＣカードの識別情報が未登録の場合に、登録を促す出力を行う登録催促出力手段と、識別情報の入力を受け付ける識別情報受付手段と、料金所の入口および出口の通過時に各通過を区別して認識する通過認識手段と、料金所の入口通過後から料金所の出口通過前におけるＩＣカードの再挿入を検知する再挿入検知手段と、入口で挿入されていたＩＣカードの判別情報と、入口と出口の間で再挿入されたＩＣカードの判別情報とを比較して、両情報が一致するか否かを判別する情報一致判別手段と、両情報が不一致の場合に、入口で挿入されていたＩＣカードの識別情報の登録有無を判別する第２識別情報登録有無判別手段と、識別情報が登録されている場合に、その識別情報に基づいてＩＣカードの誤挿入を知らせる情報を出力し、識別情報の登録がない場合には、識別情報を使用せずにＩＣカードの誤挿入を知らせる情報を出力する誤挿入情報出力手段として機能させる自動料金収受車載装置用のコンピュータ読み取り可能なプログラムが記憶されている。
【００２４】
不揮発メモリ１４は、自動料金収受車載装置１の電源がオフになっても情報を記録しておくメモリであって、料金所の入口および出口を通過したことを示す通過情報、ＩＣカード自体に記録されＩＣカードの判別に利用される判別情報、利用者（例えば、運転手）がＩＣカードを特定するために当該ＩＣカードと関連づけて任意に決定する識別情報等を記録保持できる部分である。
【００２５】
制御部１５は、自動料金収受車載装置１の処理動作を制御する部分であり、主に、中央処理演算部（Central Processing Unit: CPU）から構成されている。制御部１５は、ＩＣカードと関連づけられた判別情報を取得する判別情報取得手段と、取得した判別情報が既に登録されているか否かを判別する判別情報登録有無判別手段と、取得した判別情報が未登録の場合に、その判別情報を登録する判別情報登録手段と、ＩＣカードを識別するために利用者が任意に決める識別情報の登録有無を判別する第１識別情報登録有無判別手段と、そのＩＣカードの識別情報が未登録の場合に、登録を促す出力を行う登録催促出力手段と、識別情報の入力を受け付ける識別情報受付手段と、料金所の入口および出口の通過時に各通過を区別して認識する通過認識手段と、入口で挿入されていたＩＣカードの判別情報と、入口と出口の間で再挿入されたＩＣカードの判別情報とを比較して、両情報が一致するか否かを判別する情報一致判別手段と、両情報が不一致の場合に、入口で挿入されていたＩＣカードの識別情報の登録有無を判別する第２識別情報登録有無判別手段と、識別情報が登録されている場合に、その識別情報に基づいてＩＣカードの誤挿入を知らせる情報を出力し、識別情報の登録がない場合には、識別情報を使用せずにＩＣカードの誤挿入を知らせる情報を出力する誤挿入情報出力手段とを兼ねている。
【００２６】
操作部１６は、利用者が情報を入力するための操作部分であり、各種キーから構成されている。スピーカ１７は、警告音、メッセージ等の音声を出力する部分である。表示部１８は、警告表示、メッセージの表示、点灯、点滅を行う部分である。スピーカ１７および表示部１８は、誤挿入情報出力手段と登録催促出力手段とを兼ねた部分である。この実施の形態に係る自動料金収受車載装置１は、スピーカ１７および表示部１８を備えているが、必ずしもこれらを備えていなくても良い。自動料金収受車載装置１自体にスピーカ１７および表示部１８のいずれかが無い場合でも、カーナビゲーションあるいはカーステレオに搭載されているスピーカまたは表示部を利用して、音声出力あるいは表示の出力が可能だからである。インターフェイス部１９は、操作部１６とスピーカ１７あるいは表示部１８との間でデータのインターフェイスとなる部分である。
【００２７】
図２および図３は、第１の実施の形態に係る自動料金収受車載装置１の処理動作の流れを示すフローチャートである。
【００２８】
利用者が操作部１６内の電源キー（図示省略）を操作すると、電源がオンとなる（ステップＳ１）。利用者がＩＣカード装着部１２にＩＣカードを挿入すると、ＩＣカードが受け付けられる（ステップＳ２）。次に、挿入されたＩＣカードの判別情報が不揮発メモリ１４内に存在するか否かが判定される（ステップＳ３）。この結果、判別情報が無い場合には、そのＩＣカードの判別情報が自動的に登録される（ステップＳ４）。ここで、判別情報とは、ＩＣカードに記録された当該ＩＣカード固有の情報である。一方、判別情報が存在する場合には、続いて、そのＩＣカードの挿入履歴があるか否かが判定される（ステップＳ５）。
【００２９】
ステップＳ５の判定の結果、挿入履歴が存在する場合には、そのＩＣカードの識別情報が不揮発メモリ１４内に登録されているか否かが判定される（ステップＳ６）。ここで、識別情報とは、そのＩＣカードのカード会社名、カードの色など、利用者がＩＣカードを識別するために任意に決定できる情報である。ステップＳ５の判定で挿入履歴が無い場合、あるいはステップＳ６の判定で識別情報の登録がない場合には、識別情報の登録を促す登録案内が出力される（ステップＳ７）。この出力は、音声であるか表示であるかを問わない。また、この出力に対して、識別情報を登録するか否かは、利用者の自由裁量に委ねられる。次に、料金所の入口を通過すれば、その通過が検出され、通過情報として不揮発メモリ１４に記録される（ステップＳ８）。ステップＳ８の後は、処理の継続となる（ステップＳ９）。
【００３０】
その後、料金所の出口に至る前に、一旦、自動料金収受車載装置１の電源をオフとし、再度、利用者が操作部１６内の電源キー（図示省略）を操作すると、電源がオンとなる（ステップＳ１０）。さらに、利用者がＩＣカード装着部１２にＩＣカードを挿入すると、ＩＣカードが受け付けられる（ステップＳ１１）。次に、挿入されたＩＣカードの判別情報が不揮発メモリ１４内に存在するか否かが判定される（ステップＳ１２）。この結果、判別情報が無い場合には、そのＩＣカードの判別情報が自動的に登録される（ステップＳ１３）。一方、判別情報が存在する場合には、続いて、最新の利用明細情報の読み込みが行われる（ステップＳ１４）。続いて、不揮発メモリ１４内に、料金所の入口を通過したことを示す入口通過情報があるか否かが判定される（ステップＳ１５）。
【００３１】
ステップＳ１５の判定の結果、当該情報が無い場合には、ステップＳ２０にすすむ。一方、当該情報がある場合には、続いて、挿入されたＩＣカードの判別情報を読み出して、ステップＳ１４で読み出された最新の判別情報と一致するか否かが判定される（ステップＳ１６）。この結果、一致する場合には、ステップＳ２０にすすむ。一方、一致しない場合には、最新の判別情報を持つ正しいＩＣカードの識別情報が登録されているか否かが判定される（ステップＳ１７）。この結果、識別情報が登録されていない場合には、予めプリセットされている内容を用いて、ＩＣカードが誤挿入である旨の警告が出力される（ステップＳ１８）。一方、識別情報が登録されている場合には、その登録された識別情報を用いて、ＩＣカードが誤挿入である旨の警告が出力される（ステップＳ１９）。その後、処理の継続となる（ステップＳ２０）。
【００３２】
図４は、上記処理の具体例を示す図であり、（Ａ）は料金所入口を通過するまでの経過を、（Ｂ）は料金所出口を通過するまでの経過を示す。
【００３３】
自動車を運転する利用者が、赤色、青色、黄色の３種類のＩＣカードを所有している例で説明する。利用者は、自動車２０に搭載された自動料金収受車載装置１の電源をオンにして、赤いＩＣカードを挿入する。この結果、その赤いＩＣカードの判別情報が自動的に登録される。利用者は、さらに、操作部１６の操作キーを使用して、識別情報として「赤いカード」と入力して登録を行う。その後、自動車２０は料金所の入口２１を通過し、その通過情報が自動料金収受車載装置１に記録される。
【００３４】
利用者は途中でサービスエリアに自動車２０を停車させ、自動料金収受車載装置１の電源をオフにする。数時間後、利用者は、再び自動車２０を発車させ、自動料金収受車載装置１をオンにする。続いて、利用者は、誤って青いＩＣカードを挿入する。自動料金収受車載装置１は、判別情報が不一致であることを確認し、赤いＩＣカードの識別情報（「赤いカード」という情報）を用いて、「赤いカードを入れて下さい」という音声をスピーカ１７から出力する。これによって、利用者は、青いＩＣカードを取り出して、赤いＩＣカードを入れ直すことができる。その後、自動車２０は、料金所の出口２２を通過する。これによって、正しく料金収受が実行される。
【００３５】
このように、料金所の入口を通過する時点で、ＩＣカードの識別情報が登録されている場合に、その識別情報に基づいてＩＣカードの誤挿入を警告するようにしているので、利用者は、誤挿入の場合にでも、すぐに正しいＩＣカードを挿入できる。また、識別情報の登録がない場合には、プリセットしている内容を用いて、識別情報がない旨の情報を出力するようにしているので、利用者は、次回から識別情報の登録をするべく喚起される。
【００３６】
（第２の実施の形態）
次に、本発明に係る自動料金収受車載装置および自動料金収受車載装置用のコンピュータ読み取り可能なプログラムの第２の実施の形態について説明する。
【００３７】
第２の実施の形態に係る自動料金収受車載装置の構成は、図１に示した第１の実施の形態に係る自動料金収受車載装置１の構成と共通する。また、第２の実施の形態に係る自動料金収受車載装置の処理動作の流れの内、料金所の入口通過時点までの流れは、図２に示したフローチャートと共通する。したがって、重複した説明については、これを割愛する。また、共通する構成については、第１の実施の形態で使用した同一の符号を用いる。
【００３８】
ＩＣカード装着部１２は、ＩＣカード検知手段である。また、制御部１５は、その挿入されたＩＣカードを判別するための判別情報を取得する判別情報取得手段と、取得した判別情報が既に登録されているか否かを判別する判別情報登録有無判別手段と、取得した判別情報が未登録の場合に、その判別情報を登録する判別情報登録手段と、ＩＣカードを識別するために利用者が任意に決める識別情報の登録有無を判別する第１識別情報登録有無判別手段と、そのＩＣカードの識別情報が未登録の場合に、登録を促す出力を行う登録催促出力手段と、識別情報の入力を受け付ける識別情報受付手段と、料金所の入口および出口の通過時に各通過を区別して認識する通過認識手段と、料金所の入口通過後から料金所の出口通過前において、電源を入れた際に、入口で挿入されていたＩＣカードの識別情報を読み出す識別情報読み出し手段と、入口で挿入されていたＩＣカードの識別情報が登録されている場合に、その読み出した識別情報に基づいてＩＣカードの挿入を促す出力を行い、識別情報が登録されていない場合に、その識別情報が未登録である旨の情報を出力するカード挿入催促出力手段とを兼ねている。また、スピーカ１７および表示部１８は、カード挿入催促出力手段と登録催促出力手段とを兼ねた部分である。
【００３９】
記憶部１３には、制御部１５の制御プログラム等が記憶されている。本発明に係る自動料金収受車載装置用のコンピュータ読み取り可能なプログラムの第２の実施の形態は、記憶部１３に記憶されている。具体的には、記憶部１３には、コンピュータ（ここでは、自動料金収受車載装置１）に読み込み可能なプログラムであって、コンピュータに、料金徴収用のＩＣカードの挿入を検知するＩＣカード検知手段と、その挿入されたＩＣカードを判別するための判別情報を取得する判別情報取得手段と、取得した判別情報が既に登録されているか否かを判別する判別情報登録有無判別手段と、取得した判別情報が未登録の場合に、その判別情報を登録する判別情報登録手段と、ＩＣカードを識別するために利用者が任意に決める識別情報の登録有無を判別する第１識別情報登録有無判別手段と、そのＩＣカードの識別情報が未登録の場合に、登録を促す出力を行う登録催促出力手段と、識別情報の入力を受け付ける識別情報受付手段と、料金所の入口および出口の通過時に各通過を区別して認識する通過認識手段と、料金所の入口通過後から料金所の出口通過前において、電源を入れた際に、入口で挿入されていたＩＣカードの識別情報を読み出す識別情報読み出し手段と、入口で挿入されていたＩＣカードの識別情報が登録されている場合に、その読み出した識別情報に基づいてＩＣカードの挿入を促す出力を行い、識別情報が登録されていない場合に、その識別情報が未登録である旨の情報を出力するカード挿入催促出力手段として機能させる自動料金収受車載装置用のコンピュータ読み取り可能なプログラムが記憶されている。
【００４０】
図５は、料金所入口から料金所出口までの間における、本発明の第２の実施の形態にかかる自動料金収受車載装置１の処理動作の流れを示すフローチャートである。なお、料金所入口までの処理の流れは、図２に示すフローチャートの流れと同様である。
【００４１】
料金所の出口に至る前に、一旦、自動料金収受車載装置１の電源をオフとし、再度、利用者が操作部１６内の電源キー（図示省略）を操作すると、電源がオンとなる（ステップＳ２１）。続いて、最新の利用明細情報の読み込みが行われる（ステップＳ２２）。次に、不揮発メモリ１４内に、料金所の入口を通過したことを示す入口通過情報があるか否かが判定される（ステップＳ２３）。この結果、当該情報が無い場合には、ステップＳ２７にすすむ。一方、当該情報がある場合には、続いて、最新の判別情報を持つ正しいＩＣカードの識別情報が登録されているか否かが判定される（ステップＳ２４）。この結果、識別情報が登録されていない場合には、プリセットされている内容を用いて、識別情報がない旨の警告が出力される（ステップＳ２５）。一方、識別情報が登録されている場合には、その登録された識別情報を用いて、正しいカードの挿入を指示する出力がなされる（ステップＳ２６）。その後、処理の継続となる（ステップＳ２７）。
【００４２】
図６は、上記処理の具体例を示す図であり、（Ａ）は料金所入口を通過するまでの経過を、（Ｂ）は料金所出口を通過するまでの経過を示す。
【００４３】
自動車を運転する利用者が、赤色、青色、黄色の３種類のＩＣカードを所有している例で説明する。利用者は、自動車２０に搭載された自動料金収受車載装置１の電源をオンにして、赤いＩＣカードを挿入する。この結果、その赤いＩＣカードの判別情報が自動的に登録される。利用者は、さらに、操作部１６の操作キーを使用して、識別情報として「赤いカード」と入力して登録を行う。その後、自動車２０は料金所の入口２１を通過し、その通過情報が自動料金収受車載装置１に記録される。
【００４４】
利用者は途中でサービスエリアに自動車２０を停車させ、自動料金収受車載装置１の電源をオフにする。数時間後、利用者は、再び自動車２０を発車させ、自動料金収受車載装置１をオンにする。すると、自動料金収受車載装置１は、最新履歴のＩＣカードに関する識別情報を読み出す。すなわち、「赤いカード」という情報を読み出す。次に、自動料金収受車載装置１は、「赤いカードを入れて下さい」と指示する。これによって、利用者は、迷わずに赤いＩＣカードを入れることができる。その後、自動車２０は料金所の出口２２を通過する。これによって、正しく料金収受が実行される。
【００４５】
このように、料金所の入口を通過する時点で、ＩＣカードの識別情報が登録されている場合に、その識別情報に基づいて正しいＩＣカードを指示するようにしているので、利用者は、すぐに正しいＩＣカードを挿入できる。また、識別情報の登録がない場合には、プリセットしている内容を用いて、識別情報がない旨の情報を出力するようにしているので、利用者は、次回から識別情報の登録をするべく喚起される。
【００４６】
（第３の実施の形態）
次に、本発明に係る自動料金収受車載装置および自動料金収受車載装置用のコンピュータ読み取り可能なプログラムの第３の実施の形態について説明する。
【００４７】
第３の実施の形態に係る自動料金収受車載装置の構成は、図１に示した第１の実施の形態に係る自動料金収受車載装置１の構成と共通する。また、第３の実施の形態に係る自動料金収受車載装置の処理動作の流れの内、料金所の入口通過時点までの流れは、図２に示したフローチャートと共通する。したがって、重複した説明については、これを割愛する。また、共通する構成については、第１の実施の形態で使用した同一の符号を用いる。
【００４８】
ＩＣカード装着部１２は、ＩＣカード検知手段である。また、制御部１５は、その挿入されたＩＣカードを判別するための判別情報を取得する判別情報取得手段と、取得した判別情報が既に登録されているか否かを判別する判別情報登録有無判別手段と、取得した判別情報が未登録の場合に、その判別情報を登録する判別情報登録手段と、ＩＣカードを識別するために利用者が任意に決める識別情報の登録有無を判別する第１識別情報登録有無判別手段と、そのＩＣカードの識別情報が未登録の場合に、登録を促す出力を行う登録催促出力手段と、識別情報の入力を受け付ける識別情報受付手段と、料金所の入口および出口の通過時に各通過を区別して認識する通過認識手段と、料金所の入口通過後から料金所の出口通過前において、電源を入れた際に、ＩＣカードの有無を判別するＩＣカード有無判別手段と、ＩＣカードの有無を判別した結果、ＩＣカードが無い場合に、入口で挿入されていたＩＣカードの識別情報を読み出す第２識別情報読み出し手段と、入口で挿入されていたＩＣカードの識別情報が登録されている場合に、その読み出した識別情報に基づいてＩＣカードの挿入を促す出力を行うカード挿入催促出力手段と、ＩＣカード有無を判別した結果、ＩＣカードがある場合に、入口で挿入されていたＩＣカードの判別情報と、入口と出口の間で再挿入されたＩＣカードの判別情報とを比較して、両情報が一致するか否かを判別する情報一致判別手段と、両情報が不一致の場合に、入口で挿入されていたＩＣカードの識別情報の登録有無を判別する第２識別情報登録有無判別手段と、識別情報が登録されている場合に、その識別情報に基づいてＩＣカードの誤挿入を知らせる情報を出力し、識別情報の登録がない場合に、識別情報を使用せずにＩＣカードの誤挿入を知らせる情報を出力する誤挿入情報出力手段とを兼ねている。また、スピーカ１７および表示部１８は、カード挿入催促出力手段と、登録催促出力手段と、誤挿入情報出力手段とを兼ねた部分である。
【００４９】
記憶部１３には、制御部１５の制御プログラム等が記憶されている。本発明に係る自動料金収受車載装置用のコンピュータ読み取り可能なプログラムの第３の実施の形態は、記憶部１３に記憶されている。具体的には、記憶部１３には、コンピュータ（ここでは、自動料金収受車載装置１）に読み込み可能なプログラムであって、コンピュータに、料金徴収用のＩＣカードの挿入を検知するＩＣカード検知手段と、その挿入されたＩＣカードを判別するための判別情報を取得する判別情報取得手段と、取得した判別情報が既に登録されているか否かを判別する判別情報登録有無判別手段と、取得した判別情報が未登録の場合に、その判別情報を登録する判別情報登録手段と、ＩＣカードを識別するために利用者が任意に決める識別情報の登録有無を判別する第１識別情報登録有無判別手段と、そのＩＣカードの識別情報が未登録の場合に、登録を促す出力を行う登録催促出力手段と、識別情報の入力を受け付ける識別情報受付手段と、料金所の入口および出口の通過時に各通過を区別して認識する通過認識手段と、料金所の入口通過後から料金所の出口通過前において、電源を入れた際に、ＩＣカードの有無を判別するＩＣカード有無判別手段と、ＩＣカード有無判別手段による判別の結果、ＩＣカードが無い場合に、入口で挿入されていたＩＣカードの識別情報を読み出す第２識別情報読み出し手段と、入口で挿入されていたＩＣカードの識別情報が登録されている場合に、その読み出した識別情報に基づいてＩＣカードの挿入を促す出力を行うカード挿入催促出力手段と、ＩＣカード有無判別手段による判別の結果、ＩＣカードがある場合に、入口で挿入されていたＩＣカードの判別情報と、入口と出口の間で再挿入されたＩＣカードの判別情報とを比較して、両情報が一致するか否かを判別する情報一致判別手段と、両情報が不一致の場合に、入口で挿入されていたＩＣカードの識別情報の登録有無を判別する第２識別情報登録有無判別手段と、識別情報が登録されている場合に、その識別情報に基づいてＩＣカードの誤挿入を知らせる情報を出力する誤挿入情報出力手段として機能させる自動料金収受車載装置用のコンピュータ読み取り可能なプログラムが記憶されている。
【００５０】
図７は、料金所入口から料金所出口までの間における、本発明の第３の実施の形態にかかる自動料金収受車載装置１の処理動作の流れを示すフローチャートである。なお、料金所入口までの処理の流れは、図２に示すフローチャートの流れと同様である。
【００５１】
料金所の出口に至る前に、一旦、自動料金収受車載装置１の電源をオフとし、再度、利用者が操作部１６内の電源キー（図示省略）を操作すると、電源がオンとなる（ステップＳ３１）。続いて、ＩＣカードの有無が判別される（ステップＳ３２）。その結果、ＩＣカードが無い場合には、最新の利用明細情報の読み込みが行われる（ステップＳ３３）。次に、不揮発メモリ１４内に、料金所の入口を通過したことを示す入口通過情報があるか否かが判定される（ステップＳ３４）。この結果、当該情報が無い場合には、ステップＳ３８にすすむ。一方、当該情報がある場合には、続いて、最新の判別情報を持つ正しいＩＣカードの識別情報が登録されているか否かが判定される（ステップＳ３５）。この結果、識別情報が登録されていない場合には、プリセットされている内容を用いて、識別情報がない旨の警告が出力される（ステップＳ３６）。一方、識別情報が登録されている場合には、その登録された識別情報を用いて、正しいカードの挿入を指示する出力がなされる（ステップＳ３７）。その後、処理の継続となる（ステップＳ３８）。
【００５２】
一方、ステップＳ３２の判別の結果、ＩＣカードがある場合には、図３のステップＳ１２〜ステップＳ２０と同じ処理が行われる。具体的には、挿入されたＩＣカードの判別情報が不揮発メモリ１４内に存在するか否かが判定される（ステップＳ３９）。この結果、判別情報が無い場合には、そのＩＣカードの判別情報が自動的に登録される（ステップＳ４０）。一方、判別情報が存在する場合には、続いて、最新の利用明細情報の読み込みが行われる（ステップＳ４１）。続いて、不揮発メモリ１４内に、料金所の入口を通過したことを示す入口通過情報があるか否かが判定される（ステップＳ４２）。
【００５３】
ステップＳ４２の判定の結果、当該情報が無い場合には、ステップＳ４７にすすむ。一方、当該情報がある場合には、続いて、挿入されたＩＣカードの判別情報を読み出して、ステップＳ４１で読み出された最新の判別情報と一致するか否かが判定される（ステップＳ４３）。この結果、一致する場合には、ステップＳ４７にすすむ。一方、一致しない場合には、最新の判別情報を持つ正しいＩＣカードの識別情報が登録されているか否かが判定される（ステップＳ４４）。この結果、識別情報が登録されていない場合には、予めプリセットされている内容を用いて、ＩＣカードが誤挿入である旨の警告が出力される（ステップＳ４５）。一方、識別情報が登録されている場合には、その登録された識別情報を用いて、ＩＣカードが誤挿入である旨の警告が出力される（ステップＳ４６）。その後、処理の継続となる（ステップＳ４７）。
【００５４】
以上、本発明の実施の形態について説明したが、本発明に係る自動料金収受車載装置および自動料金収受車載装置用のコンピュータ読み取り可能なプログラムは、上述の各実施の形態に限定されることなく、種々変形実施可能である。
【００５５】
例えば、上述の第１の実施の形態において、図３に示すステップＳ１８の処理を行わなくても良い。すなわち、識別情報が登録されている場合にのみ、その識別情報に基づいた警告を行い、識別情報が未登録の場合には、何らの出力も行わないようにしても良い。また、同様に、上述の第２の実施の形態において、図５に示すステップＳ２５の処理を行わなくても良い。すなわち、識別情報が登録されている場合にのみ、その識別情報に基づいて正しいＩＣカードの挿入を指示し、識別情報が未登録の場合には、何らの出力も行わないようにしても良い。また、図２のステップＳ７に続いて、識別情報の登録を強制的に受け付けるステップを設けても良い。さらに、上述の第３の実施の形態において、ステップＳ４５の処理を行わずに、識別情報が登録されている場合にのみ、その識別情報に基づいた警告を行い、識別情報が未登録の場合には、何らの出力も行わないようにしても良い。さらに、ステップＳ３６の処理を行わず、識別情報が未登録の場合には、何らの出力も行わないようにしても良い。
【００５６】
また、自動料金収受車載装置１に、情報記録媒体（ＣＤ−ＲＯＭなど）を挿入可能な媒体挿入部を設けて、本発明の自動料金収受車載装置用のコンピュータ読み取り可能なプログラムを自動料金収受車載装置１にインストールできるようにしても良い。また、自動料金収受車載装置１自体に媒体挿入部を設けずに、媒体挿入部を備えたカーナビゲーションシステムあるいはカーオーディオと自動料金収受車載装置１とを接続し、情報記録媒体に記憶されている自動料金収受車載装置用のコンピュータ読み取り可能なプログラムを自動料金収受車載装置１にインストールできるようにしても良い。さらに、有線であるか無線であるかを問わず、車外から、自動料金収受車載装置用のコンピュータ読み取り可能なプログラムをダウンロードして、内部に記憶するようにしても良い。このように、本発明の自動料金収受車載装置用のコンピュータ読み取り可能なプログラムは、情報記録媒体に格納された状態で市場に流通され、利用者の利用に供することができる他、それ自体でも、通信回線を介して利用者の利用に供されるようにすることができる。
【産業上の利用可能性】
【００５７】
本発明は、ＥＴＣ車載器として利用可能である。
【図面の簡単な説明】
【００５８】
【図１】本発明の第１の実施の形態にかかる自動料金収受車載装置の内部構成を示すブロック図である。
【図２】本発明の第１の実施の形態に係る自動料金収受車載装置の処理動作の流れを示すフローチャートである。
【図３】図２に続いて、電源を入れ直した後の自動料金収受車載装置の処理動作の流れを示すフローチャートである。
【図４】図２および図３に示す一連の処理の具体例を示す図であり、（Ａ）は料金所入口を通過するまでの経過を、（Ｂ）は料金所出口を通過するまでの経過を示す。
【図５】料金所入口から料金所出口までの間における、本発明の第２の実施の形態にかかる自動料金収受車載装置の処理動作の流れを示すフローチャートである。
【図６】図２および図５に示す一連の処理の具体例を示す図であり、（Ａ）は料金所入口を通過するまでの経過を、（Ｂ）は料金所出口を通過するまでの経過を示す。
【図７】料金所入口から料金所出口までの間における、本発明の第３の実施の形態にかかる自動料金収受車載装置の処理動作の流れを示すフローチャートである。
【符号の説明】
【００５９】
１  自動料金収受車載装置
１２  ＩＣカード装着部（ＩＣカード検知手段、再挿入検知手段）
１５  制御部（判別情報取得手段、判別情報登録有無判別手段、判別情報登録手段、第１識別情報登録有無判別手段、登録催促出力手段、識別情報受付手段、通過認識手段、情報一致判別手段、第２識別情報登録有無判別手段、誤挿入情報出力手段、識別情報読み出し手段、カード挿入催促出力手段、ＩＣカード有無判別手段、第２識別情報読み出し手段）
１７  スピーカ（登録催促出力手段、誤挿入情報出力手段、カード挿入催促出力手段）
１８  表示部（登録催促出力手段、誤挿入情報出力手段、カード挿入催促出力手段）
【図１】
2006251858.tif 000003
【図２】
2006251858.tif 000004
【図３】
2006251858.tif 000005
【図４】
2006251858.tif 000006
【図５】
2006251858.tif 000007
【図６】
2006251858.tif 000008
【図７】
2006251858.tif 000009